(57)【要約】【課題】従来のスパナが使いにくい場所でも多種多様なスパナ類を多数揃えることなく作業に対応ができるようにする。【解決手段】杆部２の先端部に所定間隔をおいて突設された二つの爪３ａ、３ｂから成る係止手段３を有する共に前記杆部２の後端部に後端開放の筒部４を有する補助ハンドル１と、前記補助ハンドル１が係脱可能に連結するスパナ本体２０とから構成されており、前記スパナ本体２０の柄部２１が短寸に形成され、前記柄部２１には補助ハンドル１の爪３ａ、３ｂが嵌挿する挿通孔２４が穿設されていることを特徴としており、スパナを使用する作業環境に対応して、スパナ工具Ｓを、スパナ本体２０のまま短寸の状態で使用したり、挿通孔２４に爪３ａ、３ｂを係止することによりスパナ本体２０に補助ハンドル１を連結して長寸の状態にして使用することができる。【選択図】　　　図１
2004074386.tif 000002
【特許請求の範囲】
【請求項１】
杆部の先端部に所定間隔をおいて突設された二つの爪から成る係止手段を有する共に前記杆部の後端部に後端開放の筒部を有する補助ハンドルと、前記補助ハンドルが係脱可能に連結するスパナ本体とから成ることを特徴とするスパナ工具。
【請求項２】
スパナ本体の柄部が短寸に形成され、前記柄部には補助ハンドルの爪が嵌挿する挿通孔が穿設されていることを特徴とする請求項１記載のスパナ工具。
【請求項３】
補助ハンドルの係止手段における二つの爪間の距離と、スパナ本体における係合口と挿通孔との距離がほぼ同寸法であることを特徴とする請求項１又は請求項２記載のスパナ工具。
【請求項４】
補助ハンドルの係止手段における先方の爪の基軸部を回動可能に軸着すると共に、前記基軸部の先端にレンチ用ソケット連結用の四角ドライブを設けたことを特徴とする請求項１記載のスパナ工具。
【請求項５】
補助ハンドルの杆部の断面形状を多角形に形成すると共に、係止手段の後方の爪を前記杆部にスライド可能に取り付けたことを特徴とする請求項１記載のスパナ工具。
【請求項６】
補助ハンドルの筒部でスパナ本体を連結することを特徴とする請求項１、４又は５記載のスパナ工具。
【発明の詳細な説明】
【０００１】
【発明の属する技術分野】
本発明は、ナットまたはボルトの頭を回すスパナ工具に関するものである。
【０００２】
【従来技術】
従来より、ボルトやナットを締め付けたたり、弛めたりするときには、一般的な例として図１３に示すように、両口スパナ５０や輪形スパナ５１、モンキスパナ５２、図示しないＹ字型、十字型のハンドルを有するソケットレンチ等、規格の寸法のスパナ類が使用されている。これら規格のスパナ類は、ボルトやナットの大きさに対応して十分なトルクを得る為に、それぞれそのハンドル部５０ａ、５１ａ、５２ａは寸長に形成されており、作業時における回転半径を大きくとって、締め付けるボルトやナットに手の力を有効に伝えることができるようになっている。
【０００３】
【発明が解決しようとする課題】
しかしながら、近年、ボルトやナットが多数使用されている機械類や電気設備等の高性能化、小形化が進んでおり、また、これら機械や設備に付設される様々な部品や補助機、安全装置等も複雑に入り組んだ場所に固定されており、機器や設備、装置において無駄な空間を極力排除するようにアッセンブルされる結果、従来規格のスパナ類が容易に使えるだけの充分な作業空間が確保されていない場合が多々ある。従って、これら機器、設備、装置類の組立、分解、修理、整備等を行う作業現場においては、従来規格の寸長のスパナ類では、回転半径（作業半径）を大きくとることから操作性が悪く、円滑に作業ができない場合もある。この為に、特定の機器や設備専用のスパナ類が装備されることがあるが、不経済である。
【０００４】
また、ボルトとナットを締め付け合うとき、ネジの共廻りを防止する為に同サイズのスパナを機器の表裏で使用することがあるが、機器の裏側はネジ締め作業の許容空間が狭いことが多く、この為、従来規格の寸長のスパナだけでは作業ができない場合がある。このような作業環境下では長寸のスパナと共に短寸のスパナが必要であるが、多種多様なスパナ類を多数揃えることは不経済であるうえに保管場所もとり、重量も嵩んで運搬にも不便である。
【０００５】
本発明は、上記の問題に鑑みてなされたもので、従来のスパナと同様にボルトやナットに強いトルクをかけて締め付けたり弛めたりできると共に、従来規格のスパナが使いにくい場所でも作業ができるようにすることにある。
【０００６】
【課題を解決するための手段】
上記の問題を解決するために、本発明は、杆部の先端部に所定間隔をおいて突設された二つの爪から成る係止手段を有する共に前記杆部の後端部に後端開放の筒部を有する補助ハンドルと、前記補助ハンドルが係脱可能に連結するスパナ本体とから成ることを特徴としている。
【０００７】
また、スパナ本体の柄部が短寸に形成され、前記柄部には補助ハンドルの爪が嵌挿する挿通孔が穿設されていることを特徴としており、スパナを使用する作業環境に対応して、スパナ工具を、スパナ本体のまま短寸の状態で使用したり、挿通孔に爪を係止することによりスパナ本体に補助ハンドルを連結して長寸の状態にして使用することができる。
【０００８】
また、補助ハンドルの係止手段における二つの爪間の距離と、スパナ本体における係合口と挿通孔との距離をほぼ同寸法としたことにより、スパナ本体と補助ハンドルを作業環境に対応して使い易い係合方法で連結できると共に、一つの補助ハンドルを用いて異なる大きさや形状の係合口を有する複数のスパナ本体を使い分けることができる。
【０００９】
また、補助ハンドルの係止手段における先方の爪の基軸部を回動可能に軸着すると共に、前記基軸部の先端にレンチ用ソケット連結用の四角ドライブを設けたことにより、折り曲げた先方の爪の基軸部先端にレンチ用ソケットを取り付けてソケットレンチとして使用することができる。
【００１０】
また、補助ハンドルの杆部の断面形状を多角形に形成すると共に、係止手段の後方の爪を前記杆部にスライド可能に取り付け、爪と爪の間の距離を調整して、係合口と挿通孔の距離が異なる多様なスパナ類に対応できるようにしてもよい。
【００１１】
また、補助ハンドルの筒部でスパナ本体を連結し、スパナ工具を最長の状態にして使用することができる。
【００１２】
【発明の実施の形態】
以下、本発明のスパナ工具の好適な実施の形態を添付図面を参照しながら詳細に説明する。
【００１３】
図１乃至図７は、本発明に係るスパナ工具Ｓの第一の実施の形態を示しており、スパナ本体２０と、このスパナ本体２０に係脱可能に連結する補助ハンドル１とから構成されている。
【００１４】
スパナ本体２０は、規格のスパナよりも柄部２１が短寸に形成されたショートスパナであり、ナットやボルトの頭が係合する前方開口２の係合口２２と六角穴状の係合口２３を有し、柄部２１の中央には挿通孔２４が穿設されている。
【００１５】
補助ハンドル１は、杆部２と、該杆部２の先端部に所定間隔をおいて突設された二つの爪３ａ、３ｂから成る係止手段３と、杆部２の後端部に形成された後端開口の筒部４とから構成されている。
【００１６】
係止手段３における二つの爪３ａ、３ｂの間の距離Ｗは、スパナ本体２０における各係合口２２、２３と挿通孔２４との距離Ｋ１、Ｋ２と、ほぼ同寸法に設定されており、また、各爪３ａ、３ｂの太さＴ１、Ｔ２は、スパナ本体２０の挿通孔２４の孔径Ｈよりも小さく設定されている。
【００１７】
図３乃至図７は、本実施の形態におけるスパナ本体２０と補助ハンドル１との多様な連結による使用方法を示しており、図に於いて、矢印はスパナ工具Ｓの回転方向を指している。
【００１８】
図３は、補助ハンドル１の係止手段３における前方の爪３ａをスパナ本体２０の挿通孔２４へ嵌挿すると共に係止手段３における後方の爪３ｂをスパナ本体２０の六角穴状の係合口２３へ嵌挿し、スパナ本体２０と補助ハンドル１を係脱可能に連結してロングスパナにセットした状態を示している。スパナ本体２０をショートスパナとしたことにより全体として軽量化されている。ショートスパナとして使用する環境下では、そのままショートスパナとして使用され、必要に応じて補助ハンドル１を連結しロングスパナとしてトルクが得られるように使用される。
【００１９】
このセットの形態では、前方開口の係合口２２を使ってスパナ工具Ｓを両方向に回転することができる。六角穴状の係合口２３を使ってボルトやナットを回す場合は、後方の爪３ｂを前方開口の係合口２２に嵌挿すればよい。
【００２０】
また、スパナ本体２０における係合口２２、２３の大きさや形状は、図示のものに限定されるものではなく、各係合口２２、２３と挿通孔２４との距離Ｋ１、Ｋ２と補助ハンドル１の二つの爪３ａ、３ｂの間の距離Ｗとがほぼ同寸法に設定されておれば、一つの補助ハンドル１を使用して異なる大きさの係合口を有する複数種のスパナ本体２０を操作することが可能である。
【００２１】
図４は、補助ハンドル１の前方の爪３ａをスパナ本体２０の挿通孔２４へ嵌挿すると共に補助ハンドル１の後方の爪３ｂをスパナ本体２０の側縁２５に掛けて操作するように連結した例を示しており、作業環境に対応して、このような連結方法で使用することもできる。
【００２２】
図５は、補助ハンドル１の後方の爪３ｂをスパナ本体２０の挿通孔２４へ嵌挿すると共に補助ハンドル１の前方の爪３ａをスパナ本体２０の側縁２５に掛けて操作するように連結した例を示している。
【００２３】
図６は、補助ハンドル１の後方の爪３ｂをスパナ本体２０の六角穴状の係合口２３へ嵌挿すると共に補助ハンドル１の前方の爪３ａをスパナ本体２０の側縁２５に掛けて操作するように連結した例を示している。
【００２４】
図７は、補助ハンドル１の筒部４の筒穴４ａに、スパナ本体２０における前方開口の係合口２２を形成する一側片部２６を嵌挿し、六角穴状の係合口２３を使ってボルトやナットを回すように連結したものである。
【００２５】
また、補助ハンドル１と係合するスパナ本体２０は、図１乃至図７に図示した形状のスパナに限るものではなく、作業環境に応じて多様な形態のスパナをスパナ本体２０として使用することができる。
【００２６】
図８は、短い柄部２１に挿通孔２４を設けたリングスパナからなるスパナ本体２０であり、図９は、短い柄部２１に挿通孔２４を設けたモンキスパナからなるスパナ本体２０であり、図１０は、短い柄部２１に挿通孔２４を設けた両口スパナからなるスパナ本体２０である。補助ハンドル１を使ってこれらのスパナ本体２０を使い分けることができる。
【００２７】
また、図１１は、補助ハンドル１における筒部４の筒穴４ａに、ソケットレンチ用のＹ字型ハンドル２８のアーム２９を嵌挿した連結状態を示している。小形のＹ字型ハンドル２８でも補助ハンドル１を使うことにより充分なトルクを得ることができる。
【００２８】
このＹ字型ハンドル２８のアーム２９の先端には、それぞれ大きさの異なる四角ドライブ３０が設けてある。各四角ドライブ３０と、大きさの異なるレンチ用ソケット３１の四角差込穴３２とでソケットレンチのホールド機構が構成され、三種類の大きさのレンチ用ソケット３１を使い分けることができる。
【００２９】
図１２は、スパナ工具Ｓにおける別の補助ハンドル１ａによる実施の形態を示しており、基本的には既述した補助ハンドル１と同様であるので、図において、既述した実施の形態と共通する部分については同一符号を付しその説明を省略する。
【００３０】
同図（ａ）に示すように、補助ハンドル１ａは、その係止手段３における先方の爪３ａの基軸部５を後方の爪３ｂ側に回動可能に枢着ピン６により軸着し、先方の爪３ａの基軸部５を後方の爪３ｂ側に折り曲げ可能となっていると共に、前記基軸部５の先端にレンチ用ソケット３１を連結する為の四角ドライブ３０が設けてある。
【００３１】
上記の構成としたことにより、この補助ハンドル１ａは、既述した各種のショートスパナ類と連結してロングスパナとして使用できると共に、同図（ｂ）に示すように、先方の爪３ａの基軸部５を後方の爪３ｂ側に折り曲げ、基軸部５先端の四角ドライブ３０にレンチ用ソケット３１を取付けてソケットレンチとして使用することができる。
【００３２】
また、同図（ｃ）に示すように、先方の爪３ａの基軸部５を後方の爪３ｂ側に折り曲げ、爪３ａと爪３ｂとの間隔を縮めることにより、極端に短い柄部２１のリングスパナからなるスパナ本体２０でも、その挿通孔２４に先方の爪３ａを嵌挿し係合口３３に後方の爪３ｂを嵌挿してロングスパナとして使用することができる。
【００３３】
図１３は、スパナ工具Ｓにおける更に別の補助ハンドル１ｂによる実施の形態を示しており、この補助ハンドル１ｂは、その杆部２ａの断面形状を多角形に形成すると共に、係止手段３の後方の爪３ｂを多角形の杆部２ａにスライド可能にして回転不能に取り付けてある。
【００３４】
上記の構成としたことにより、この補助ハンドル１ｂは、その爪３ａ、３ｂ間の距離を所定間隔とすることにより既述した各種のショートスパナ本体と連結してロングスパナとして使用できると共に、更に、後方の爪３ｂをスライドさせて爪３ａ、３ｂ間の距離を任意の間隔に調整することにより、係合口と挿通孔２４の距離Ｋが異なる更に多様なスパナ本体に対応して使用することができる。また、前方の爪３ａを磁性体とし、ボルトやナットを磁着できるようにしておくと便利である。
【００３５】
尚、図示しないが、補助ハンドル１、１ａにおける係止手段３を周知のスライド機構を用いて杆部２にスライド可能に取り付け、係止手段３の位置を自在に変えるようにしたスライディングハンドルとしてもよい。
【００３６】
【発明の効果】
本発明は、以上説明したような形態で実施され、以下に記載されるような効果を奏する。
【００３７】
本発明によれば、スパナ工具を、スパナ本体と、このスパナ本体に係脱可能に連結する補助ハンドルとから構成してので、スパナ本体を単独で使用したり、スパナ本体と補助ハンドルを連結して使用することにより、ショートスパナとしてもロングスパナとしても使い分けることができる。
【００３８】
また、各種スパナ本体と補助ハンドルとを多様な係合方法で連結できる構成としたので、様々な作業環境に対応して効果的に使用することができる。
【００３９】
従って、多種多様なサイズのスパナを多数揃える必要がなくなり、経済的であると共に、保管場所も小さくて済み、軽量化されて作業にも運搬にも便利である。
【図面の簡単な説明】
【図１】本発明のスパナ工具の一実施の形態を示す平面図。
【図２】図１のスパナ工具における補助ハンドルのＡ−Ａ矢視方向を示す断面図。
【図３】図１のスパナ工具の一使用方法を示す説明図。
【図４】図１のスパナ工具の別の使用方法を示す説明図。
【図５】図１のスパナ工具の別の使用方法を示す説明図。
【図６】図１のスパナ工具の別の使用方法を示す説明図。
【図７】図１のスパナ工具の別の使用方法を示す説明図。
【図８】図１のスパナ工具において使用される別のスパナ本体を示す（ａ）は側面図、（ｂ）は平面図。
【図９】図１のスパナ工具において使用される別のスパナ本体を示す平面図。
【図１０】図１のスパナ工具において使用される別のスパナ本体を示す平面図。
【図１１】図１のスパナ工具において使用されるＹ字型ソケットレンチとその使用方法を示す説明図。
【図１２】本発明のスパナ工具の別の実施の形態を示すもので、（ａ）は補助ハンドルの平面図、（ｂ）は使用方法の説明図、（ｃ）は別の使用方法の説明図。
【図１３】本発明のスパナ工具における別の補助ハンドルを示すもので、（ａ）は平面図、（ｂ）は（ａ）のＢ−Ｂ矢視方向の断面図。
【図１４】従来例を示す説明図。
【符号の説明】
１、１ａ，１ｂ　補助ハンドル，２，２ａ　杆部，３　係止手段，３ａ、３ｂ爪，４　筒部，５　基軸部，２０　スパナ本体，２１　柄部，２２，２３、３３　係合口，２４　挿通孔，３０　四角ドライブ，
【図１】
2004074386.tif 000003
【図２】
2004074386.tif 000004
【図３】
2004074386.tif 000005
【図４】
2004074386.tif 000006
【図５】
2004074386.tif 000007
【図６】
2004074386.tif 000008
【図７】
2004074386.tif 000009
【図８】
2004074386.tif 000010
【図９】
2004074386.tif 000011
【図１０】
2004074386.tif 000012
【図１１】
2004074386.tif 000013
【図１２】
2004074386.tif 000014
【図１３】
2004074386.tif 000015
【図１４】
2004074386.tif 000016